(57)【要約】【課題】  安価な構造で簡単に分解できるようにすること。【解決手段】  ステータ１ａの軸受ホルダ３が、軸受４を嵌め込んだ円筒状ホルダ本体３ａと、底蓋３ｂとからなり、該底蓋３ｂ上に一つ割り状ストッパリング９が配置されており、ロータ１ｂのシャフト５を軸受４内を通ってストッパリング９の中心孔に押し込むことにより、該シャフト５の端部に形成した環状溝５ａをストッパリング９に嵌合させており、駆動用コイル２を励磁することによりロータ１ｂを高速回転させるようにしたスピンドルモータ１において、前記軸受ホルダ３がホルダ本体３ａの底蓋３ｂとに分割され、該底蓋３ｂをホルダ本体３ａに連結する連結手段Ｒが、ホルダ本体３ａの端部外周面に形成した雄ねじ部１５と、底蓋３ｂの周壁部１６の内周面に形成されて前記雄ねじ部１５に螺合する雌ねじ部１７とからなる。【選択図】        図１
2006136093.tif 000002
【特許請求の範囲】
【請求項１】
ステータ及びロータを有し、前記ステータの外周部に多数の駆動用コイルが周方向所定
間隔ごとに取り付けられると共に、該ステータの中央に有底円筒状軸受ホルダが設けられ
、前記ロータが、ディスク載置用ターンテーブルを嵌着したシャフトと、該シャフトの中
央に嵌着したロータケースと、該ロータケースの内周面に固着した環状マグネットとを有
し、前記軸受ホルダが、軸受を嵌め込んだ円筒状ホルダ本体と、該ホルダ本体の端部に一
体形成した底蓋とからなり、該底蓋の中央にシャフト差込み用窪み部が形成され、前記底
蓋上に一つ割り状ストッパリングが配置されており、前記シャフトを軸受内を通ってスト
ッパリングの中心孔に押し込むことにより、該シャフトの端部に形成した環状溝をストッ
パリングに嵌合させており、駆動用コイルを励磁することによりロータ及びターンテーブ
ルを介してディスクを高速回転させるようにしたスピンドルモータにおいて、前記軸受ホ
ルダがホルダ本体と底蓋とに分割され、該底蓋をホルダ本体に連結する連結手段が、ホル
ダ本体の端部外周面に形成した雄ねじ部と、底蓋の周壁部の内周面に形成されて前記雄ね
じ部に螺合する雌ねじ部とからなり、前記窪み部の外周面に工具係合用多角形面が形成さ
れていることを特徴とするスピンドルモータ。
【請求項２】
ステータ及びロータを有し、前記ステータの外周部に多数の駆動用コイルが周方向所定
間隔ごとに取り付けられると共に、該ステータの中央に有底円筒状軸受ホルダが設けられ
、前記ロータが、シャフトと、該シャフトの中央に嵌着したロータケースと、該ロータケ
ースの内周面に固着した環状マグネットとを有し、前記軸受ホルダが、軸受を嵌め込んだ
円筒状ホルダ本体と、該ホルダ本体の端部に設けた底蓋とからなり、該底蓋の中央にシャ
フト差込み用窪み部が形成され、前記底蓋上に一つ割り状ストッパリングが配置されてお
り、前記シャフトを軸受内を通ってストッパリングの中心孔に押し込むことにより、該シ
ャフトの端部に形成した環状溝をストッパリングに嵌合させており、駆動用コイルを励磁
することによりロータを高速回転させるようにしたスピンドルモータにおいて、前記軸受
ホルダがホルダ本体と底蓋とに分割され、該底蓋が連結手段によりホルダ本体に連結され
ていることを特徴とするスピンドルモータ。
【請求項３】
前記連結手段が、ホルダ本体の端部外周面に形成した雄ねじ部と、底蓋の周壁部の内周
面に形成されて前記雄ねじ部に螺合する雌ねじ部とからなることを特徴とする請求項２に
記載のスピンドルモータ。
【請求項４】
前記窪み部の外周面に工具係合用多角形面が形成されていることを特徴とする請求項３
に記載のスピンドルモータ。
【請求項５】
前記連結手段が、底蓋の周壁部に一体突設したフランジ部と、該フランジ部をホルダ本
体に固着した支持板に止着する止着具とからなることを特徴とする請求項２に記載のスピ
ンドルモータ。
【請求項６】
前記連結手段が、ホルダ本体の端部外周面に一体突設した鍔部と、底蓋の周壁部内周面
に一体突設したフック部とからなり、底蓋の周壁部に周方向所定間隔をおいて複数のスリ
ットを形成することにより該周壁部が拡径可能に形成されており、その周壁部を拡径させ
てフック部をホルダ本体の鍔部に嵌合させるようにしたことを特徴とする請求項２に記載
のスピンドルモータ。
【発明の詳細な説明】
【技術分野】
【０００１】
本発明は、例えばＤＶＤなどのディスク駆動装置におけるディスクを高速回転させるた
めのスピンドルモータに関する。
【背景技術】
【０００２】
従来、ＤＶＤなどのディスク駆動装置におけるスピンドルモータの技術として特許文献
１などに記載したものがあり、その一例を図７及び図８に基づいて説明すると、このスピ
ンドルモータ１は、ステータ１ａ及びロータ１ｂを有し、前記ステータ１ａの外周部に多
数の駆動用コイル２が周方向所定間隔ごとに取り付けられると共に、該ステータ１ａの中
央に有底円筒状軸受ホルダ３が設けられ、前記ロータ１ｂが、ディスクＤ載置用ターンテ
ーブル８を嵌着したシャフト５と、該シャフト５の中央に嵌着した金属製ロータケース６
と、該ロータケース６の内周面に嵌着した環状マグネット７とを有している。
【０００３】
前記軸受ホルダ３は、鉄板や鋼板などの金属板により成形され、軸受４を嵌め込んだ円
筒状ホルダ本体３ａと、該ホルダ本体３ａの端部に一体形成した底蓋３ｂとからなり、該
底蓋３ｂの中央にシャフト差込み用窪み部１４が形成され、底蓋３ｂ上に一つ割り状スト
ッパリング９が配置されており、シャフト５を軸受４内を通ってストッパリング９の中心
孔９ａに押し込むことにより、該ストッパリング９を拡径させてシャフト５の通過を許容
し、該シャフト５の端部に形成した環状溝５ａをストッパリング９に嵌合させることによ
り、そのシャフト５が軸受ホルダ３から抜け出ないようにしている。なお、図７中、１０
は窪み部１４の底面に配置した合成樹脂製含油シートであって、シャフト５の端面を支持
する。１１はシャフト５の中央に嵌着させた押さえリング、１２は軸受ホルダ３の下端に
固着した鉄板または鋼板からなる支持板１３上に配置したプリント基板である。
【０００４】
上記構成において、ディスクＤをターンテーブル８上に載置すると共に、ディスクホル
ダ（図示せず）をターンテーブル８に嵌合させてディスクＤを押さえつけ後、駆動用コイ
ル２を励磁することによりロータ１ｂ及びターンテーブル８を介してディスクＤを高速回
転させ、そのディスクＤに記録されている情報の再生や記録または消去を行う。
【特許文献１】特開２００３−１３９４６号公報
【発明の開示】
【発明が解決しようとする課題】
【０００５】
上記従来の構成では、通常の回転駆動時に軸受ホルダ３内に塵埃などが侵入するのを阻
止してシャフト５を長期にわたって円滑に高速回転させるため、該軸受ホルダ３の円筒状
ホルダ本体３ａと底蓋３ｂとを一体化して、その軸受ホルダ３を密閉構造にしているが、
スピンドルモータ１の出荷前の性能テストで、例えば軸受４とシャフト５との間に塵埃が
侵入したり、含油シート１０を入れ忘れたり、環状マグネット７の異常着磁などの故障原
因により、ロータ１ｂが設定通りに円滑に高速回転しなかった場合に、ストッパリング９
によりシャフト５が軸受ホルダ３から外れない構造になっているため、その故障原因を除
去することができない。
【０００６】
そこで、スピンドルモータ１を強制的に分解し、その分解により損傷されなかった部品
を再利用することも考えられるが、これでは、分解に手間と時間とがかかると共に、損傷
される部品が多くて、経済性に難点がある。
【０００７】
本発明は、上記従来の難点に鑑み、安価な構造で簡単に分解することができるようにし
たスピンドルモータを提供することを目的としている。
【課題を解決するための手段】
【０００８】
上記目的を達成するため、請求項１に記載の発明は、ステータ及びロータを有し、前記
ステータの外周部に多数の駆動用コイルが周方向所定間隔ごとに取り付けられると共に、
該ステータの中央に有底円筒状軸受ホルダが設けられ、前記ロータが、ディスク載置用タ
ーンテーブルを嵌着したシャフトと、該シャフトの中央に嵌着したロータケースと、該ロ
ータケースの内周面に固着した環状マグネットとを有し、前記軸受ホルダが、軸受を嵌め
込んだ円筒状ホルダ本体と、該ホルダ本体の端部に一体形成した底蓋とからなり、該底蓋
の中央にシャフト差込み用窪み部が形成され、前記底蓋上に一つ割り状ストッパリングが
配置されており、前記シャフトを軸受内を通ってストッパリングの中心孔に押し込むこと
により、該シャフトの端部に形成した環状溝をストッパリングに嵌合させており、駆動用
コイルを励磁することによりロータ及びターンテーブルを介してディスクを高速回転させ
るようにしたスピンドルモータにおいて、前記軸受ホルダがホルダ本体と底蓋とに分割さ
れ、該底蓋をホルダ本体に連結する連結手段が、ホルダ本体の端部外周面に形成した雄ね
じ部と、底蓋の周壁部の内周面に形成されて前記雄ねじ部に螺合する雌ねじ部とからなり
、前記窪み部の外周面に工具係合用多角形面が形成されていることを特徴としている。
【０００９】
請求項２記載の発明は、ステータ及びロータを有し、前記ステータの外周部に多数の駆
動用コイルが周方向所定間隔ごとに取り付けられると共に、該ステータの中央に有底円筒
状軸受ホルダが設けられ、前記ロータが、シャフトと、該シャフトの中央に嵌着したロー
タケースと、該ロータケースの内周面に固着した環状マグネットとを有し、前記軸受ホル
ダが、軸受を嵌め込んだ円筒状ホルダ本体と、該ホルダ本体の端部に設けた底蓋とからな
り、該底蓋の中央にシャフト差込み用窪み部が形成され、前記底蓋上に一つ割り状ストッ
パリングが配置されており、前記シャフトを軸受内を通ってストッパリングの中心孔に押
し込むことにより、該シャフトの端部に形成した環状溝をストッパリングに嵌合させてお
り、駆動用コイルを励磁することによりロータを高速回転させるようにしたスピンドルモ
ータにおいて、前記軸受ホルダがホルダ本体と底蓋とに分割され、該底蓋が連結手段によ
りホルダ本体に連結されていることを特徴としている。
【００１０】
請求項３に記載の発明は、請求項２に記載の発明において、前記連結手段が、ホルダ本
体の端部外周面に形成した雄ねじ部と、底蓋の周壁部の内周面に形成されて前記雄ねじ部
に螺合する雌ねじ部とからなることを特徴としている。
【００１１】
請求項４に記載の発明は、請求項３に記載の発明において、前記窪み部の外周面に工具
係合用多角形面が形成されていることを特徴としている。
【００１２】
請求項５に記載の発明は、請求項２に記載の発明において、前記連結手段が、底蓋の周
壁部に一体突設したフランジ部と、該フランジ部をホルダ本体に固着した支持板に止着す
る止着具とからなることを特徴としている。
【００１３】
請求項６に記載の発明は、請求項２に記載の発明において、前記連結手段が、ホルダ本
体の端部外周面に一体突設した鍔部と、底蓋の周壁部内周面に一体突設したフック部とか
らなり、底蓋の周壁部に周方向所定間隔をおいて複数のスリットを形成することにより該
周壁部が拡径可能に形成されており、その周壁部を拡径させてフック部をホルダ本体の鍔
部に嵌合させるようにしたことを特徴としている。
【発明の効果】
【００１４】
請求項１に記載の発明は第１の実施の形態（図１〜図３参照）に対応するものであって
、これによれば、軸受ホルダがホルダ本体と底蓋とに分割されているが、通常の回転駆動
時には、底蓋によりホルダ本体の開口端部が塞がれているので、軸受ホルダ内に塵埃など
が侵入するのを阻止してシャフトを長期にわたって円滑に高速回転させることができる。
【００１５】
出荷前の性能テストで、例えば軸受とシャフトとの間に塵埃が侵入したり、含油シート
を入れ忘れたり、環状マグネットの異常着磁などの故障原因により、ロータが設定通りに
円滑に高速回転しなかった場合には、底蓋を開放方向に回転させることにより、該底蓋と
ホルダ本体との間の雄ねじ部及び雌ねじ部による螺着を解除して、その底蓋をホルダ本体
から取り外し、これにより開放されたホルダ本体の開口端部に露出するストッパリングを
シャフトの環状溝から取り外し、該シャフトを軸受ホルダから抜き出せばよい。これによ
って、部品を損傷させることなくスピンドルモータが分解されるから、故障原因を除去す
ることができると共に、部品を再利用することもでき、経済性に優れている。
【００１６】
また、窪み部の外周面にボルト頭部やナットなどと形状がよく似た工具係合用多角形面
が形成されているので、その多角形面にスパナなどの工具を係合させて底蓋を簡単に回す
ことができる。
【００１７】
請求項２に記載の発明は基本形態に対応するものであって、これによれば、軸受ホルダ
がホルダ本体と底蓋とに分割されているが、通常の回転駆動時には、底蓋によりホルダ本
体の開口端部が塞がれているので、軸受ホルダ内に塵埃などが侵入するのを阻止してシャ
フトを長期にわたって円滑に高速回転させることができる。
【００１８】
出荷前の性能テストで、例えば軸受とシャフトとの間に塵埃が侵入したり、含油シート
を入れ忘れたり、環状マグネットの異常着磁などの故障原因により、ロータが設定通りに
円滑に高速回転しなかった場合には、底蓋とホルダ本体とを連結する連結手段を解除して
、その底蓋をホルダ本体から取り外し、これにより開放されたホルダ本体の開口端部に露
出するストッパリングをシャフトの環状溝から取り外し、該シャフトを軸受ホルダから抜
き出せばよい。これによって、部品を損傷させることなくスピンドルモータが分解される
から、故障原因を除去することができると共に、部品を再利用することもでき、経済性に
優れている。
【００１９】
請求項３に記載の発明によれば、底蓋が雄ねじ部及び雌ねじ部を介してホルダ本体に螺
着されているので、該底蓋を開放方向に回転させて螺着を解除することにより、その底蓋
をホルダ本体から簡単に取り外すことができる。
【００２０】
請求項４に記載の発明によれば、窪み部の外周面にボルト頭部やナットなどと形状がよ
く似た工具係合用多角形面が形成されているので、その多角形面にスパナなどの工具を係
合させて底蓋を簡単に回すことができる。
【００２１】
請求項５に記載の発明は第２の実施の形態（図４参照）に対応するものであって、これ
によれば、底蓋の周壁部に一体突設したフランジ部を止着具で支持板に止着しているから
、その止着具による止着を解除するだけで、底蓋をホルダ本体から簡単に取り外して、そ
のホルダ本体の開口端部を容易に開放することができる。
【００２２】
請求項６に記載の発明は、第３の実施の形態（図５及び図６参照）に対応するものであ
って、これによれば、ホルダ本体の鍔部に底蓋のフック部を嵌合させることにより、該底
蓋がホルダ本体の開口端部に取り付けられているので、底蓋のスリット付き周壁部を拡径
させてフック部を鍔部から離脱させるだけで、底蓋をホルダ本体から簡単に取り外して、
そのホルダ本体の開口端部を容易に開放することができる。
【発明を実施するための最良の形態】
【００２３】
図１〜図３は本発明の第１の実施の形態であるスピンドルモータ１を示すものであって
、軸受ホルダ３がホルダ本体３ａと底蓋３ｂとに分割され、該底蓋３ｂが連結手段Ｒによ
りホルダ本体３ａに連結されている。上記以外の構成は図７及び図８に示す構成とほぼ同
じであるから、同一部分に同一符号を付してその説明を省略する。
【００２４】
前記連結手段Ｒは、ホルダ本体３ａの端部外周面に形成した雄ねじ部１５と、底蓋３ｂ
の周壁部１６の内周面に形成されて前記雄ねじ部１５に螺合する雌ねじ部１７とからなり
、窪み部１４の外周面に四角、六角または八角などの工具係合用多角形面（この実施の形
態では六角形）１８が形成されている。
【００２５】
上記構成によれば、軸受ホルダ３がホルダ本体３ａと底蓋３ｂとに分割されているが、
通常の回転駆動時には、図１に実線で示すように、底蓋３ｂによりホルダ本体３ａの開口
端部が塞がれているので、軸受ホルダ３内に塵埃などが侵入するのを阻止してシャフト５
を長期にわたって円滑に高速回転させることができる。
【００２６】
出荷前の性能テストで、例えば軸受４とシャフト５との間に塵埃が侵入したり、含油シ
ート１０を入れ忘れたり、環状マグネット７の異常着磁などの故障原因により、ロータ１
ｂが設定通りに円滑に高速回転しなかった場合には、底蓋３ｂを開放方向に回転させるこ
とにより、図１に仮想線で示すように、底蓋３ｂとホルダ本体３ａとの間の雄ねじ部１５
及び雌ねじ部１７による螺着を解除して、その底蓋３ｂをホルダ本体３ａから取り外し、
これにより開放されたホルダ本体３ａの開口端部に露出するストッパリング９をシャフト
５の環状溝５ａから取り外し、該シャフト５を軸受ホルダ３から抜き出せばよい。これに
よって、部品を損傷させることなくスピンドルモータ１が分解されるから、故障原因を除
去することができると共に、部品を再利用することもでき、経済性に優れている。
【００２７】
また、窪み部１４の外周面にボルト頭部やナットなどと形状がよく似た工具係合用多角
形面１８が形成されているので、その多角形面１８にスパナなどの工具を係合させて底蓋
３ｂを簡単に回すことができる。
【００２８】
図４は本発明の第２の実施の形態であるスピンドルモータ１の要部を示すものであって
、連結手段Ｒが、底蓋３ｂの周壁部１６に一体突設したフランジ部２０と、該フランジ部
２０を貫通して支持板１３のねじ孔２１にねじ込まれたビス（止着具）２２とからなり、
底蓋３ｂの周壁部１６がホルダ本体３ａの開口端部に係脱可能に外嵌されている。上記以
外の構成は図１〜図３に示す第１の実施の形態とほぼ同じであるから、同一部分に同一符
号を付してその説明を省略する。
【００２９】
上記構成によれば、図４に仮想線で示すように、ビス２２による止着を解除するだけで
、底蓋３ｂをホルダ本体３ａから取り外して、そのホルダ本体３ａの開口端部を容易に開
放することができる。
【００３０】
図５及び図６は本発明の第３の実施の形態であるスピンドルモータ１の要部を示すもの
であって、連結手段Ｒが、ホルダ本体３ａの端部外周面に一体突設した鍔部２４と、底蓋
３ｂの周壁部１６の内周面に一体突設したフック部２５とからなり、底蓋３ｂの周壁部１
６に周方向所定間隔をおいて複数のスリット２６を形成することにより該周壁部１６が拡
径可能に形成されており、周壁部１６を拡径させてフック部２５をホルダ本体３ａの鍔部
２４に嵌合させることにより、底蓋３ｂをホルダ本体３ａの開口端部に一体的に連結して
いる。上記以外の構成は図１〜図３に示す第１の実施の形態とほぼ同じであるから、同一
部分に同一符号を付してその説明を省略する。
【００３１】
上記構成によれば、図５に仮想線で示すように、底蓋３ｂのスリット２６付き周板部１
６を拡径させてフック部２５を鍔部２４から離脱させるだけで、底蓋３ｂをホルダ本体３
ａから取り外して、そのホルダ本体３ａの開口端部を容易に開放することができる。
【図面の簡単な説明】
【００３２】
【図１】本発明の第１の実施の形態を示す縦断面図である。
【図２】同要部の拡大水平断面図である。
【図３】同要部の分解斜視図である。
【図４】本発明の第２の実施の形態を示す要部の縦断面図である。
【図５】本発明の第３の実施の形態を示す要部の縦断面図である。
【図６】同要部の分解斜視図である。
【図７】従来例を示す縦断面図である。
【図８】同要部の拡大水平断面図である。
【符号の説明】
【００３３】
１          スピンドルモータ
１ａ        ステータ
１ｂ        ロータ
２          駆動用コイル
３          軸受ホルダ
３ａ        ホルダ本体
３ｂ        底蓋
４          軸受
５          シャフト
５ａ        シャフトの環状溝
６          ロータケース
７          環状マグネット
８          ターンテーブル
９          一つ割り状ストッパリング
９ａ        ストッパリングの中心孔
１３        支持板
１４        底蓋の窪み部
１５        雄ねじ部
１６        底蓋の周壁部
１７        雌ねじ部
１８        多角形面
２０        フランジ部
２２        ビス（止着具）
２４        鍔部
２５        フック部
２６        スリット
Ｄ          ディスク
Ｒ          連結手段
【図１】
2006136093.tif 000003
【図２】
2006136093.tif 000004
【図３】
2006136093.tif 000005
【図４】
2006136093.tif 000006
【図５】
2006136093.tif 000007
【図６】
2006136093.tif 000008
【図７】
2006136093.tif 000009
【図８】
2006136093.tif 000010